(57)【要約】【課題】回路基板に回転式スイッチを配置する際、回転式スイッチの位置ずれを抑制してスイッチ操作が良好となる操作装置を提供する。【解決手段】回路基板３の前面側に配置され可動部２６を有するプッシュ式スイッチ１８と、回路基板３の後面側に配置されスイッチ孔２２を有する回転体２８と回転体２８を保持するフレーム２９を備えた回転式スイッチ１９と、回路基板３の貫通穴２１を挿通してスイッチ孔２２に挿入され回転体２８を回動操作する回動軸２３と、可動部２６を押圧操作する押圧部２４と、回動軸２３周囲の回路基板３上に配置され、押圧部２４を反押圧側に反撥付勢させるコイルバネ２５とを備えた操作装置において、貫通穴２１をスイッチ孔２２より径大とするとともにフレーム２９に形成された突出部３３を貫通穴２１に嵌入するようにした。【選択図】  図１
2004200105.tif 000002
【特許請求の範囲】
【請求項１】
回路基板の前面側に配置され可動部を有するプッシュ式スイッチと、前記回路基板の後面側に配置されスイッチ孔を有する回転体とこの回転体を保持するフレームを備えた回転式スイッチと、前記回路基板の貫通穴を挿通して前記スイッチ孔に挿入され前記回転体を回動操作する回動軸と、前記可動部を押圧操作する押圧部と、前記回動軸周囲の前記回路基板上に配置され、前記押圧部を反押圧側に反撥付勢させるコイルバネとを備えた操作装置において、前記貫通穴を前記スイッチ孔より径大とするとともに前記フレームに形成された突出部を前記貫通穴に嵌入するようにしたことを特徴とする操作装置。
【請求項２】
前記コイルバネの前記回路基板側を略長円形部とし、この略長円形部の長径側は前記貫通穴より径大であり、短径側は前記コイルバネと同径であることを特徴とする請求項１に記載の操作装置。
【請求項３】
前記コイルバネの前記回路基板側が前記貫通穴より径大な円形部であることを特徴とする請求項１に記載の操作装置。
【請求項４】
回路基板の前面側に配置され可動部を有するプッシュ式スイッチと、前記回路基板の後面側に配置されスイッチ孔を有する回転体とこの回転体を保持するフレームを備えた回転式スイッチと、前記回路基板の貫通穴を挿通して前記スイッチ孔に挿入され前記回転体を回動操作する回動軸と、前記可動部を押圧操作する押圧部と、前記回動軸周囲の前記回路基板上に配置され、前記押圧部を反押圧側に反撥付勢させるコイルバネとを備えた操作装置において、前記フレームに形成された突出部を前記回路基板に設けた位置決め孔に嵌入するとともに、前記貫通穴を前記スイッチ孔より径大とし、前記コイルバネの前記回路基板側を略長円形部とし、この略長円形部の長径側は前記貫通穴より径大であり、短径側は前記コイルバネと同径であることを特徴とする操作装置。
【請求項５】
回路基板の前面側に配置され可動部を有するプッシュ式スイッチと、前記回路基板の後面側に配置されスイッチ孔を有する回転体とこの回転体を保持するフレームを備えた回転式スイッチと、前記回路基板の貫通穴を挿通して前記スイッチ孔に挿入され前記回転体を回動操作する回動軸と、前記可動部を押圧操作する押圧部と、前記回動軸周囲の前記回路基板上に配置され、前記押圧部を反押圧側に反撥付勢させるコイルバネとを備えた操作装置において、前記フレームに形成された突出部を前記回路基板に設けた位置決め孔に嵌入するとともに、前記貫通穴を前記スイッチ孔より径大とし、前記コイルバネの前記回路基板側が前記貫通穴より径大な円形部であることを特徴とする操作装置。
【発明の詳細な説明】
【０００１】
【発明の属する技術分野】
本発明は、回路基板の前面側に配置されたプッシュ式スイッチと、後面側に配置された回転式スイッチとを備えた操作装置に関するものである。
【０００２】
【従来の技術】
車両用計器装置に適用された操作装置を図１０〜図１３に基づいて説明する。図１０は、例えば速度計１と回転計２を備えた車両用計器装置の正面図を示す。図１１は図１０におけるＡ−Ａ断面であり、図１２は図１０におけるＢ−Ｂ断面である。車両用計器装置は、硬質な回路基板３と、この回路基板３の裏面側に回路基板３と導通状態で装着され、回路基板３を貫通して前方に延びる回動軸４を有する回転計２用の計器本体５と（速度計１用の計器本体は図示せず）、回動軸４の先端側に固着された指針６と、この指針６の後方に配置され指針６の動作に対応する速度計１用および回転計２用の各表示部７，７Ａを施した表示板８と、この表示板８と回路基板３との間に配置され、表示板８を保持する白色の合成樹脂からなる保持部材９を備えている。
【０００３】
また、速度計１には車両の走行距離（トータルおよびトリップ）や燃費，外気温などを表示する例えば液晶表示素子１０と、操作軸１１などからなる操作装置を備えている。１２は回路基板３の裏面側を覆う合成樹脂製のカバー部材であり、１３は表示板８の前方側に配置され表示板８の可視領域を定める開口部１４を有する覆い部材であり、１５は覆い部材１３の前方側を覆う無色透明な透視板である。
【０００４】
回路基板３には、速度計１や回転計２の計器本体５を駆動する図示しない電子部品や指針６を照明する光源としての発光ダイオード１６、表示板８の表示部７，７Ａを照明する発光ダイオード１６Ａ、液晶表示素子を照明する発光ダイオード１６Ｂなどが実装されている。そして、夜間など周囲が暗い時に各発光ダイオード１６，１６Ａ，１６Ｂを点灯させることによって指針６、表示部７，７Ａ、液晶表示素子１０が照明されて、暗い時であっても視認されるようになっている。また、回路基板３の裏面側には回路基板３に電気的な入力信号を取り込むためのコネクタ１７が固着してある。
【０００５】
操作装置は、回路基板３の前面側に配置されたプッシュ式スイッチ１８と、回路基板３の後面側に配置された回転式スイッチ１９と、透視板１５に形成した穴２０を貫通して外部まで延び、各スイッチ１８，１９を作動操作するための略円柱状の操作軸１１と、回路基板３の貫通穴２１を貫通して回転式スイッチ１９のスイッチ孔２２に挿入され、回転式スイッチ１９を回動操作する回動軸２３と、プッシュ式スイッチ１８を押圧操作する押圧部２４と、回動軸２３周囲の回路基板３上に配置され、押圧部２４を反押圧側に反撥付勢させるコイルバネ２５とを備えている。
【０００６】
プッシュ式スイッチ１８は、復帰可能に保持された可動部２６とハウジング２７を備えており、回路基板３の前面側に配置されて回路基板３に半田付されている。そして、操作軸１１を後方に押すことによって押圧部２４が下がり可動部２６を押圧するようになる。この可動部２６が押圧されることによって、前述した様な液晶表示素子１０の表示が切り替わる（例えば、トータル走行距離とトリップ走行距離の表示切替、あるいはトリップ走行距離のゼロセット）ものである。なお、操作軸１１の後方への押し操作を止めることにより、押圧部２４（操作軸１１）はコイルバネ２５の反撥力で元の位置に戻るよう（押圧部２４が保持部材９に当接した状態）になっている。
【０００７】
回転式スイッチ１９は、スイッチ孔２２を有する回転体２８と、フレーム２９と、断面が矩形の導電端子３０を備えており、回路基板３の後面側に配置され、導電端子３０に対応した回路基板３箇所に設けられた丸形の端子孔３１に導電端子３０が挿通されて、回路基板３の前面側に半田付されている。図１３は回路基板３に設けられた貫通穴２１周辺を示す図である。貫通穴２１とスイッチ孔２２とは同心円であり、貫通穴２１は前述した回動軸２３の径より僅かに大きくし、スイッチ孔２２は回動軸２３の径とほぼ一致させてある。
【０００８】
また、操作軸１１を回転させた際、スイッチ孔２２と、このスイッチ孔２２に挿入された回動軸２３との間で回動軸２３が空回りしないようにするために、図１３に示す様にスイッチ孔２２はＤの字状となっており、これに合わせて回動軸２３も断面がＤの字状としてある。そして、操作軸１１を回すことによって回動軸２３が回り、回転体２８が回転するようになる。この操作により、表示板８の表示部７，７Ａを照明する発光ダイオード１６Ａと液晶表示素子１０を照明する発光ダイオード１６Ｂの輝度を変えることができる。すなわち、車両運転者の好みに応じて照明の明るさを変更できるようになっている。
【０００９】
【発明が解決しようとする課題】
しかしながら、回路基板３の端子孔３１に回転式スイッチ１９の導電端子３０を挿通した後、導電端子３０を半田付する際に回転式スイッチ１９が位置ずれを起こすことがある。すると、回路基板３の貫通穴２１の中心とスイッチ孔２２の中心とがずれてしまい、回動軸２３がスイッチ孔２２に入らなかったり、入ったとしても操作軸１１を押圧後、回動軸２３が貫通穴２１の端に引っ掛かり操作軸１１が戻らなかったりすることなどがある。
【００１０】
回転式スイッチ１９が位置ずれを起こす原因は、導電端子３０が多少傾いていたり、フレーム２９に対する導電端子３０の位置が多少ばらついていたとしても導電端子３０を端子孔３１に挿通しやすいようにするために、端子孔３１の径を大きくしてあることによる。従来例の場合、図１３に示す様に矩形の導電端子３０に対して丸形の端子孔３１を設けてある。この場合、導電端子３０の位置ずれ量は図１３中、左右方向が最大となるようになっており、最大量位置ずれした場合は上述した様な不具合を起こしやすい。これを改善するために貫通穴２１を大きくするという方法もあるが、貫通穴２１が大きいとコイルバネ２５が貫通穴２１に落ち込んでしまうことがある。
【００１１】
本発明はこの様な点に鑑みなされたもので、回路基板に回転式スイッチを配置する際、回転式スイッチの位置ずれを抑制してスイッチ操作が良好となる操作装置を提供することを目的とする。
【００１２】
【課題を解決するための手段】
本発明は前記課題を解決するため、回路基板の前面側に配置され可動部を有するプッシュ式スイッチと、前記回路基板の後面側に配置されスイッチ孔を有する回転体とこの回転体を保持するフレームを備えた回転式スイッチと、前記回路基板の貫通穴を挿通して前記スイッチ孔に挿入され前記回転体を回動操作する回動軸と、前記可動部を押圧操作する押圧部と、前記回動軸周囲の前記回路基板上に配置され、前記押圧部を反押圧側に反撥付勢させるコイルバネとを備えた操作装置において、前記貫通穴を前記スイッチ孔より径大とするとともに前記フレームに形成された突出部を前記貫通穴に嵌入するようにしたものである。
【００１３】
また、前記コイルバネの前記回路基板側を略長円形部とし、この略長円形部の長径側は前記貫通穴より径大であり、短径側は前記コイルバネと同径であるものである。
【００１４】
また、前記コイルバネの前記回路基板側が前記貫通穴より径大な円形部であるものである。
【００１５】
また、回路基板の前面側に配置され可動部を有するプッシュ式スイッチと、前記回路基板の後面側に配置されスイッチ孔を有する回転体とこの回転体を保持するフレームを備えた回転式スイッチと、前記回路基板の貫通穴を挿通して前記スイッチ孔に挿入され前記回転体を回動操作する回動軸と、前記可動部を押圧操作する押圧部と、前記回動軸周囲の前記回路基板上に配置され、前記押圧部を反押圧側に反撥付勢させるコイルバネとを備えた操作装置において、前記フレームに形成された突出部を前記回路基板に設けた位置決め孔に嵌入するとともに、前記貫通穴を前記スイッチ孔より径大とし、前記コイルバネの前記回路基板側を略長円形部とし、この略長円形部の長径側は前記貫通穴より径大であり、短径側は前記コイルバネと同径であるものである。
【００１６】
また、回路基板の前面側に配置され可動部を有するプッシュ式スイッチと、前記回路基板の後面側に配置されスイッチ孔を有する回転体とこの回転体を保持するフレームを備えた回転式スイッチと、前記回路基板の貫通穴を挿通して前記スイッチ孔に挿入され前記回転体を回動操作する回動軸と、前記可動部を押圧操作する押圧部と、前記回動軸周囲の前記回路基板上に配置され、前記押圧部を反押圧側に反撥付勢させるコイルバネとを備えた操作装置において、前記フレームに形成された突出部を前記回路基板に設けた位置決め孔に嵌入するとともに、前記貫通穴を前記スイッチ孔より径大とし、前記コイルバネの前記回路基板側が前記貫通穴より径大な円形部であるものである。
【００１７】
【発明の実施の形態】
本発明の操作装置を適用した車両用計器装置を実施形態として説明するが、従来例と基本的な構成は同じため、同一または相当箇所には同一符号を付し、その詳細説明は省略する。図１〜図５に本発明の第１実施形態を示す。図１は図１０におけるＢ−Ｂ断面であるが、この場合、同実施形態を示すものである。図２は図１０におけるＣ−Ｃ断面で同実施形態を示す。図３および図４は本実施形態におけるコイルバネ２５および回転式スイッチ１９を示し、図５は図４におけるＤ−Ｄ断面である。
【００１８】
操作装置は、従来例と同様に回路基板３の前面側に配置され可動部２６を有するプッシュ式スイッチ１８と、回路基板３の後面側に配置された回転式スイッチ１９と、透視板１５に形成した穴２０を貫通して外部まで延び、各スイッチ１８，１９を作動操作するための略円柱状の操作軸１１と、回路基板３の貫通穴２１を貫通して回転式スイッチ１９のスイッチ孔２２に挿入され、回転式スイッチ１９を回動操作する回動軸２３と、プッシュ式スイッチ１８の可動部２６を押圧操作する押圧部２４と、回動軸２３周囲の回路基板３上に配置され、押圧部２４を反押圧側に反撥付勢させるコイルバネ２５とを備えている。なお、操作軸１１と回動軸２３および押圧部２４とを一体としたが分割してあっても良い。
【００１９】
回転式スイッチ１９は、スイッチ孔２２を有する回転体２８と、この回転体２８を保持する合成樹脂製のフレーム２９と、断面が矩形の導電端子３０を備えており、回路基板３の後面側に配置され、導電端子３０に対応した回路基板３箇所に設けられた丸形の端子孔３１に導電端子３０が挿通されて、回路基板３の前面側に半田付されている。フレーム２９は上フレーム２９Ａと下フレーム２９Ｂからなり、この上下フレーム２９Ａ，２９Ｂで回転体２８を保持するようにしてある。また、上フレーム２９Ａにはスイッチ孔２２より僅かに大きいフレーム孔３２が同心に設けてあり、このフレーム孔３２の周縁には環状の突出部３３が形成されている。回転式スイッチ１９が回路基板３に半田付固定される際には、この突出部３３が回路基板３の貫通穴２１に嵌入されるようになっている。
【００２０】
回転体２８のスイッチ孔２２は図４に示す様にＤの字状となっている。これは、スイッチ孔２２に挿入された回動軸２３がスイッチ孔２２との間で空回りしないようにするためであり、図示しないがスイッチ孔２２に合わせて回動軸２３も断面がＤの字状としてある。また、回転体２８には摺動接点３４が固着されており、この摺動接点３４は上フレーム２９Ａの裏面側に設けられた抵抗体（図示せず）に接している。
【００２１】
コイルバネ２５は、図１に示す様に回路基板３側のコイルバネ２５の一端を延長してリード部３５を設け、その先端側をＬ字形に曲げ、曲げ部３６を回路基板３に設けた挿通孔３７に挿入してある。また、コイルバネ２５の回路基板３側は略長円形部３８としてあり、この略長円形部３８の長径側は回路基板３の貫通穴２１の径より大きくしてあり、短径側（幅）はコイルバネ２５の略長円形部３８以外の円形箇所の径に合致させてある。
【００２２】
この様に構成した操作装置において、操作軸１１を後方（図１中、右側）に押すことによって押圧部２４が下がり可動部２６を押圧するようになる。この可動部２６が押圧されることによって、前述した様な液晶表示素子１０の表示が切り替わるものである。なお、操作軸１１の後方への押し操作を止めることにより、押圧部２４（操作軸１１）はコイルバネ２５の反撥力で元の位置に戻るようになっている。
【００２３】
また、操作軸１１を回すことによって回転体２８が回転する。そして、回転体２８と連動して摺動接点３４が回動し、抵抗体と摺動接点３４との間の抵抗値が変動する。この抵抗値変動に伴って発光ダイオード１６Ａ，１６Ｂの発光輝度が変化し、表示板８の表示部７，７Ａあるいは液晶表示素子１０の明るさが変化するようになっている。
【００２４】
この様に、回路基板３に設けた貫通穴２１を回転式スイッチ１９のスイッチ孔２２より径大とするとともに、上フレーム２９Ａに形成された環状の突出部３３を貫通穴２１に嵌入するようにしたことにより、従来例の様に回路基板３に設けた端子孔３１と導電端子３０との間にがたつきが生じやすい状態であっても、回路基板３に対する回転式スイッチ１９の位置は、貫通穴２１に嵌入された突出部３３箇所で決まるようになっているため、回路基板３に対する回転式スイッチの位置ずれが抑制され、スイッチ孔２２への回動軸２３の出し入れがスムーズであり操作軸１１操作が良好となる。なお、貫通穴２１と突出部３３との間が多少がたつき状態であっても、突出部３３が形成されている上フレーム２９Ａと回転体２８とが一体となって僅かに位置ずれするものであり、操作軸１１操作に影響を及ぼすものではない。
【００２５】
また、コイルバネ２５の回路基板３側を略長円形部３８とし、この略長円形部３８の長径側は回路基板３の貫通穴２１より径大とし、短径側はコイルバネ２５の略長円形部３８以外の円形箇所の径と合致させた（同径とした）ことにより、図１に示す様に回路基板３の上面（コイルバネ２５載置面）に対して突出部３３が窪んでいた場合、操作軸１１を押した際にコイルバネ２５の回路基板３側が窪みに落ち込むのを防ぐことができる。すなわち、略長円形部３８は長径側が貫通穴２１より大きいために窪みに落ち込むことはない。さらに、短径側の幅がコイルバネ２５の略長円形部３８以外の円形箇所の径と同じであるため、コイルバネ２５が圧縮された際に回路基板３側から２番目のコイルバネ２５箇所が略長円形部３８の短径側箇所に当たることにより、２番目のコイルバネ２５箇所が窪みに落ち込むのを防ぐことができる。この様に、コイルバネ２５が窪みに落ち込んで貫通穴２１端部に引っ掛かったりすることを防ぐことができるため、操作軸１１操作がスムーズに行える。
【００２６】
なお、突出部３３の突き出し面（先端面）が回路基板３の上面とほぼ同一であれば、コイルバネ２５に略長円形部３８を設ける必要はなく、コイルバネ２５全体を同一径としておけば良い。
【００２７】
図６は本発明の第２実施形態を示すが、前記第１本実施形態とは回転式スイッチ１９および回転式スイッチ１９が半田付固定される回路基板３の形状が異なるのみで他は同一のため、詳細説明は省略する。
【００２８】
本実施形態における回転式スイッチ１９の上フレーム２９Ａにはピン状の突出部３３Ａが形成してある。そして、この突出部３３Ａに対応した回路基板３箇所には突出部３３Ａが嵌入される位置決め孔３９が設けてある。なお、回動軸２３が挿通される回路基板３の貫通穴２１はスイッチ孔２２より大きく（前記第１本実施形態の場合と同じ大きさ）してある。また、コイルバネ２５は前記第１本実施形態と同一のもの（図３に示す）を用いている。すなわち、コイルバネ２５の回路基板３側は略長円形部３８としてあり、この略長円形部３８の長径側は回路基板３の貫通穴２１の径より大きくしてあり、短径側（幅）はコイルバネ２５の略長円形部３８以外の円形箇所の径に合致させてある。
【００２９】
この様に、上フレーム２９Ａに形成されたピン状の突出部３３Ａを回路基板３に設けた位置決め孔３９に嵌入するようにしたことにより、回路基板３に設けた端子孔３１と導電端子３０との間にがたつきが生じやすい状態であっても、回路基板３に対する回転式スイッチ１９の位置は、位置決め孔３９に嵌入された突出部３３Ａ箇所で決まるようになっているため、回路基板３に対する回転式スイッチの位置ずれが抑制され、スイッチ孔２２への回動軸２３の出し入れがスムーズであり操作軸１１操作が良好となる。なお、位置決め孔３９と突出部３３Ａとの間が多少がたつき状態であっても、貫通穴２１がスイッチ孔２２より大きくなっているため回動軸２３が貫通穴２１の端に引っ掛かったりするようなことが無く、操作軸１１操作がスムーズに行える。
【００３０】
また、コイルバネ２５の回路基板３側を略長円形部３８とし、この略長円形部３８の長径側は回路基板３の貫通穴２１より径大とし、短径側はコイルバネ２５の略長円形部３８以外の円形箇所の径と合致させた（同径とした）ことにより、図６に示す様に回路基板３の貫通穴２１が大きくても、図１に示した状態と同様に略長円形部３８の長径側が貫通穴２１よりさらに大きいためにコイルバネ２５が貫通穴２１内に落ち込むことがない。さらに、短径側の幅がコイルバネ２５の略長円形部３８以外の円形箇所の径と同じであるため、コイルバネ２５が圧縮された際に回路基板３側から２番目のコイルバネ２５箇所が略長円形部３８の短径側箇所に当たることにより、２番目のコイルバネ２５箇所がコイルバネ２５が貫通穴２１内に落ち込んで貫通穴２１端部に引っ掛かったりすることなどがない。
【００３１】
図７および図８は本発明の第３実施形態を示す。本実施形態は前記第２実施形態とはコイルバネ２５が異なるのみである。回転式スイッチ１９の上フレーム２９Ａにはピン状の突出部３３Ａが形成してあり、この突出部３３Ａは回路基板３に設けた位置決め孔３９に嵌入されている。コイルバネ２５は図８に示す様に、回路基板３側が貫通穴２１の径より大きな円形部４０としてある。
【００３２】
この様に、ピン状の突出部３３Ａを位置決め孔３９に嵌入したことにより、前記第２実施形態と同様に、回路基板３に対する回転式スイッチの位置ずれが抑制され、スイッチ孔２２への回動軸２３の出し入れがスムーズであり操作軸１１操作が良好である。また、コイルバネ２５の回路基板３側が貫通穴２１の径より大きな円形部４０であるため、コイルバネ２５が貫通穴２１内に落ち込むことがない。なお、本実施形態におけるプッシュ式スイッチ１８は回路基板３側から２番目のコイルバネ２５箇所が貫通穴２１内に落ち込むほどにコイルバネ２５が圧縮されない前に可動部２６の押圧が行われるものとする。
【００３３】
図９は本発明の第４実施形態を示す。本実施形態は前記第１実施形態とは回動軸２３とコイルバネ２５が異なる。回動軸２３は押圧部２４側が径大部４１となっており、回路基板３側が径小部４２としてある。径小部４２の大きさ（径）は前記第１実施形態における回動軸２３の径と同じである。従って、回路基板３の貫通穴２１の径は前記第１本実施形態と同じである。コイルバネ２５の大きさ（径）は回動軸２３の径大部４１に対応しており、押圧部２４側から回路基板３側まで一定としてある。
【００３４】
この様に、回動軸２３に径大部４１と径小部４２を設け、径大部４１に対応した大きさ（径）のコイルバネ２５を回動軸２３周囲に配置したことにより、コイルバネ２５の大きさ（径）が一定であっても回路基板３側のコイルバネ２５径が回路基板３の貫通穴２１より大きな円形部４０を備えていることになり、前記各実施例と同様な効果が得られる。なお、前記第２あるいは第３実施形態で示した上フレーム２９Ａに形成されたピン状の突出部３３Ａを回路基板３に設けた位置決め孔３９に嵌入するようにした構造にも、本実施形態の構造を適用しても良いことは言うまでもない。
【００３５】
なお、本発明における回転式スイッチ１９とは、回転式可変抵抗器やロータリースイッチなどの回転式電子部品を指すものである。また、前記第１本実施形態においてコイルバネ２５の回路基板３側を略長円形部３８としたが、プッシュ式スイッチ１８の可動部２６の押圧が回路基板３側から２番目のコイルバネ２５箇所が貫通穴２１内に落ち込むほどにコイルバネ２５が圧縮されない前に行われるものとするなら、前記第３実施形態と同様な円形部４０としても良い。
【００３６】
【発明の効果】
以上詳述したように、本発明によれば、回路基板に回転式スイッチを配置する際、回転式スイッチの位置ずれを抑制してスイッチ操作が良好となる操作装置を提供することができる。
【図面の簡単な説明】
【図１】本発明の第１実施形態を示す操作装置の断面図（図１０におけるＢ−Ｂ断面）。
【図２】同実施形態を示す操作装置の断面図（図１０におけるＣ−Ｃ断面）。
【図３】同実施形態のコイルバネを示す正面図。
【図４】同実施形態の回転式スイッチを示す正面図。
【図５】同実施形態の回転式スイッチを示す断面図（図４におけるＤ−Ｄ断面）。
【図６】本発明の第２実施形態を示す操作装置の断面図。
【図７】本発明の第３実施形態を示す操作装置の断面図。
【図８】同実施形態のコイルバネを示す正面図。
【図９】本発明の第４実施形態を示す操作装置の断面図。
【図１０】車両用計器装置を示す正面図。
【図１１】従来例の車両用計器装置を示す断面図（図１０におけるＡ−Ａ断面）。
【図１２】従来例を示す操作装置の断面図（図１０におけるＢ−Ｂ断面）。
【図１３】従来例の貫通穴周辺を示す部分正面図。
【符号の説明】
３  回路基板
１１  操作軸
１８  プッシュ式スイッチ
１９  回転式スイッチ
２１  貫通穴
２２  スイッチ孔
２３  回動軸
２４  押圧部
２５  コイルバネ
２６  可動部
２８  回転体
２９  フレーム
３３，３３Ａ  突出部
３８  長円形部
４０  円形部
【図１】
2004200105.tif 000003
【図２】
2004200105.tif 000004
【図３】
2004200105.tif 000005
【図４】
2004200105.tif 000006
【図５】
2004200105.tif 000007
【図６】
2004200105.tif 000008
【図７】
2004200105.tif 000009
【図８】
2004200105.tif 000010
【図９】
2004200105.tif 000011
【図１０】
2004200105.tif 000012
【図１１】
2004200105.tif 000013
【図１２】
2004200105.tif 000014
【図１３】
2004200105.tif 000015